(57)【要約】      （修正有）【課題】配光を狭くすることができる波長変換部品及びそれを用いた発光装置を提供する。【解決手段】複数の波長変換部材１０が部材２０，３２を介して接合され配列され、波長変換部材それぞれの上に光学素子が配置されている波長変換部品１００およびそれを用いた発光装置。【選択図】図１Ａ
2020122868.tif 000002
【特許請求の範囲】
【請求項１】
複数の波長変換部材と、
前記波長変換部材それぞれの上に配置された透過型光学部材と、を有し、
前記波長変換部材同士は第１部材を介して配列している波長変換部品。
【請求項２】
複数の波長変換部材と、
前記波長変換部材それぞれの上に配置されている透過型光学部材と、を有し、
前記波長変換部材同士は、第１部材を介して配列しており、
前記第１部材は、前記波長変換部材の上端よりも上方へ延在しており、
前記透過型光学部材同士は、前記第１部材を介して配列しており、
前記透過型光学部材の屈折率は前記第１部材の屈折率よりも大きい波長変換部品。
【請求項３】
複数の波長変換部材と、
前記波長変換部材それぞれの上に配置されている透過型光学部材と、を有し、
前記波長変換部材同士は、第１部材を介して配列しており、
前記透過型光学部材同士は、第２部材を介して配列しており、
前記透過型光学部材の屈折率は前記第２部材の屈折率よりも大きい波長変換部品。
【請求項４】
前記複数の波長変換部材の下方を覆うように配置された放熱部材を備えた請求項１〜３のいずれか一項に記載の波長変換部品。
【請求項５】
前記複数の波長変換部材が、２種類以上の波長変換部材を含む請求項１〜４いずれか一項に記載の波長変換部品。
【請求項６】
請求項１〜５いずれか一項に記載の波長変換部品の下方に一つの発光素子を備えた発光装置。
【発明の詳細な説明】
【技術分野】
【０００１】
本発明は、波長変換部品及びこれを用いた発光装置に関する。
【背景技術】
【０００２】
半導体発光素子及び波長変換部材を組み合わせた発光装置として、例えば、青色発光ダイオード又は青色半導体レーザから放出される励起光を蛍光体含有波長変換部材に照射し、蛍光体含有波長変換部材により波長変換された黄色光と励起光の青色光と混合し、白色の光を出射するものがある（特許文献１等）。
【先行技術文献】
【特許文献】
【０００３】
【特許文献１】特開２０１７−２２４７０７号公報
【発明の概要】
【発明が解決しようとする課題】
【０００４】
このような形態の発光装置においては、励起光の一部が蛍光体含有波長変換部材に吸収され蛍光体含有波長変換部材より波長変換された光と蛍光体含有波長変換部材により吸収されなかった励起光とが、出射側の透明な板材へ入射し、透明な板材の外表面から混合して出射される。透明な板材の外表面に垂直な方向に出射される光もあれば、透明な板材の外表面に平行な方向に出射される光もあり、これらの方向の間の方向に出射される光もあり、出射光の配光が広い。波長変換部材からの出射光の配光が広いと発光装置を利用するシステムにおける発光装置からの出射光の利用効率が低いという課題がある。
本発明は、波長変換部材からの出射光の配光を狭くすることができる波長変換部品及びそれを用いた発光装置を提供することを目的とする。
【課題を解決するための手段】
【０００５】
複数の波長変換部材と、前記波長変換部材それぞれの上に配置された透過型光学部材と、を有し、前記波長変換部材同士は第１部材を介して配列している波長変換部品。
【０００６】
複数の波長変換部材と、前記複数の波長変換部材それぞれの上に配置されている透過型光学部材と、を有し、前記波長変換部材同士は、第１部材を介して配列している波長変換部品。
【発明の効果】
【０００７】
本発明によれば、出射光の配光を狭くすることができる波長変換部品及びそれを用いた発光装置を提供することができる。
【図面の簡単な説明】
【０００８】
【図１Ａ】第１実施形態に係る波長変換部品の垂直断面概念図である。
【図１Ｂ】図１Ａの波長変換部品の平面概念図である。
【図１Ｃ】第１実施形態に係る波長変換部品の変形例を示す複数の波長変換部材と第１部材の水平断面部分拡大概念図である。
【図１Ｄ】第１実施形態に係る波長変換部品の別の変形例１を示す垂直断面概念図である。
【図１Ｅ】第１実施形態に係る波長変換部品のさらに別の変形例２を示す垂直断面概念図である。
【図１Ｆ】第１実施形態に係る波長変換部品のさらに別の変形例３を示す垂直断面概念図である。
【図１Ｇ】第１実施形態に係る波長変換部品のさらに別の変形例４を示す垂直断面概念図である。
【図１Ｈ】第１実施形態に係る波長変換部品のさらに別の変形例５を示す垂直断面概念図である。
【図２Ａ】第２実施形態に係る波長変換部品の垂直断面概念図である。
【図２Ｂ】図２Ａの波長変換部品の平面概念図である。
【図２Ｃ】第２実施形態に係る波長変換部品の変形例を示す垂直断面概念図である。
【図３】第３実施形態に係る発光装置の垂直断面概略図である。
【図４】第４実施形態に係る発光装置の概略図である。
【発明を実施するための形態】
【０００９】
以下に示す実施形態は、本発明の技術思想を具体化するための例示であって、本発明を以下に限定するものではない。本発明は、以下に示す実施形態の組合せを含みうる。また、各図面が示す部材の大きさや位置関係等は、説明を明確にするために誇張や簡略化していることがある。さらに、同一の名称、符号については、原則として同一もしくは同質の部材を示しており、重複した説明は適宜省略する。
【００１０】
〔発光装置〕
発光装置は、発光素子および波長変換部品を有する。発光装置は、その他の部材を有してもよい。
【００１１】
〔発光素子〕
発光素子は、波長変換部品に入射する励起光の発生源である。例えば、発光素子として、半導体発光素子、ランプ、ガスレーザ、またはこれらの組合せが用いられ、具体的には、発光ダイオード、半導体レーザ、水銀灯、または、アルゴンイオンレーザ、などが発光素子として用いられる。
【００１２】
〔波長変換部品〕
波長変換部品は、複数の波長変換部材と、透過型光学部材を含む複数の透過型光学素子と、を有する。個々の波長変換部材は隣接する他の波長変換部材と第１部材を介して配列している。各波長変換部材の上には、透過型光学部材が配置される。波長変換部品は、放熱部材を有していてもよく、例えば、放熱部材の上方に、複数の波長変換部材が配列される。
【００１３】
〔波長変換部材〕
波長変換部材は、励起光を吸収し、励起光の波長と異なる波長の光を発生する。例えば、蛍光体結晶粒、蛍光色素、半導体微結晶、およびこれらを含有する透光性の固形物若しくは透光性の液状物である。
【００１４】
〔透過型光学部材〕
透過型光学部材は、各波長変換部材から出てくる光を透過する。透過型光学部材の表面には、光学薄膜が設けられ得る。透過型光学部材は、単独で、又は、第２部材と組み合されて透過型光学素子に含まれる。つまり、透過型光学素子を形成する一つの要素は、各波長変換部材それぞれの上に配置される透過型光学部材単独、又は、透過型光学部材と第２部材との組み合せを有している。透過型光学素子は、波長変換部材の配列に対応する透過型光学部材の配列を有する。各波長変換部材から出てくる光を効率よく透過するためである。透過型光学部材の配列は、波長変換部材の配列に自己整合していることが好ましい。透過型光学部材の配列を波長変換部材の配列に位置合わせする必要がないからである。透過型光学素子として、レンズ、ライトガイド、またはこれらの組合せが用いられうる。レンズとしては、例えば、凸レンズやロッドレンズ等が用いられ得る。ライトガイドとしては、例えば、内面が鏡面のパイプ、ライトパイプやステップインデックス光ファイバー等の集合体が用いられ得る。例えば、透過型光学部材と、第２部材と、からなる透過型光学素子の一要素は、ライトパイプとして機能する。
【００１５】
〔第１部材、第２部材〕
第１部材は、複数の波長変換部材を個別に区切るように配置される。言い換えると、複数の波長変換部材同士は第１部材を介して配列する。第１部材は、複数の波長変換部材を個別に区切る壁部が一体となり、複数の貫通孔を有する構造とすることができる。また、第１部材は、複数の波長変換部材の個別に区切る壁部と、複数の波長変換部材の下面を覆う凹底面とを有する凹部を複数有する構造とすることもできる。第１部材は、透光性材料から成ってもよい。また、第１部材は光反射性材料あるいは遮光性材料から成ってもよい。あるいは第１部材は、透光性材料、光反射性材料、遮光性材料の組合せから成ってもよい。第２部材は、複数の透過型光学部材を区切るように配置される。第２部材の屈折率は、透過型光学部材よりも低い屈折率である。このような屈折率とすることで、透過型光学部材内を伝搬する光が、第２部材の表面で、全反射しやすくなるためである。また、透過光学部材がロッドレンズである場合、第２部材は省略することができる。第１部材の材料と第２部材の材料とは別の材料とすることができる。また、第１部材の材料と第２部材の材料とは同じであってもよい。例えば、第１部材が波長変換部材の上端よりも上方へ延在しており、透過型光学部材同士がその延在する第１部材を介して配列することができる。透過型光学部材の配列を、波長変換部材の配列に自己整合させるためである。
【００１６】
〔放熱部材〕
放熱部材は、波長変換部材で発生する熱を伝搬し、波長変換部材の外部へ逃がす。複数の波長変換部材の下方を覆い配置される。Ｃｕ、Ａｌ等の金属材料の他、ダイヤモンド、シリコンカーバイト（ＳｉＣ）、窒化アルミニウム（ＡｌＮ）、サファイア（Ａｌ２Ｏ３）などが放熱部材の材料として好適に用いられ得る。
【００１７】
〔その他の部材〕
その他の部材は、発光装置の構成部材であって、発光素子および波長変換部品を除く部材である。例えば、発光装置の筺体、発光素子の駆動電源、光学部材などである。
【００１８】
〔第１実施形態〕
第１実施形態における波長変換部品１００の構造を、図１Ａ、および図１Ｂを参照し、以下に説明する。
【００１９】
波長変換部材１０としては、蛍光体結晶粒、蛍光ガラス粒、蛍光体微粒子分散樹脂、半導体微粒子分散樹脂、蛍光色素含有樹脂、蛍光色素含有液体などが用いられ得る。蛍光体結晶粒とは、例えば、柱状ＺｎＯ結晶粒、ＹＡＧ結晶粒、ＣＡＳＮ結晶粒、α−ＳｉＡｌＯＮ結晶粒など各種蛍光体結晶粒である。蛍光ガラス粒とは、例えば、各種希土類元素（例えば、Ｔｂ、Ｅｕ、Ｐｒ、など）含有ガラスである。蛍光体微粒子分散樹脂とは、例えば、シリコーン樹脂にペロブスカイト量子ドット、あるいはＺｎＯ微粒子、ＹＡＧ微粒子、ＣＡＳＮ微粒子、ＳｉＡｌＯＮ微粒子、シリケート蛍光体微粒子などを分散したものである。半導体微粒子分散樹脂とは、例えば、シリコーン樹脂にＣｄＳｅ/ＺｎＳコアシェル型半導体量子ドット、ＩｎＰ/ＺｎＳコアシェル型半導体量子ドット、ＡｇＩｎＳ/ＧａＳコアシェル型半導体量子ドットなどを分散したものである。蛍光色素含有樹脂とは、例えば、アクリル樹脂中にローダミン等の蛍光色素を分散したものである。蛍光色素含有液体とは、例えば、シリコーンオイル中にローダミン等の蛍光色素を分散したものである。
波長変換部材１０の材質、形状、寸法は、波長変換部品１００の設計に応じ、適宜選択されうる。
【００２０】
波長変換部材１０として、例えば、緑蛍光体であるβ−サイアロンの柱状結晶粒（約５μｍ径×約３５μｍ長）が好適に用いられる。緑蛍光体の柱状結晶粒に青色励起光を照射すると、柱状結晶の長軸の両端面から側面より強い緑色の光が放出されるからである。蛍光体結晶の屈折率が周囲より高いため内部で発生した緑色光が臨界角より大きな角度で側面に入射すると全反射されて、臨界角より小さな角度で長軸方向の端面に入射し、蛍光体結晶の外に出やすいことによると考えられる。
【００２１】
波長変換部材１０として、二種以上の蛍光体結晶粒、蛍光ガラス粒、蛍光体微粒子分散樹脂、半導体微粒子分散樹脂、蛍光色素含有樹脂、蛍光色素含有液体、半導体多層膜などが用いられてもよい。例えば、第１波長変換部材１１としてＹＡＧ結晶粒、第２波長変換部材１２としてＣＡＳＮ結晶粒を含んだものとすることができ、図１Ｃに示されるように、これらをモザイク配列とすることができる。さらに、第３波長変換部材、第４波長変換部材、第５波長変換部材などを、波長変換部材１０は含んでもよい。
波長変換部材１０の種類の数、材質、形状、寸法、配列は、波長変換部品１００の設計に応じ、適宜選択されうる。
【００２２】
第１部材２０としては、透明ガラス、透明樹脂、白色樹脂などからなる板材に複数の凹部を設けたものが用いられ得る。透明ガラスとは、例えば、石英ガラス、クラウンガラス、フリントガラス等の光学ガラスなど透明度の高いガラスである。透明樹脂とは、例えば、エポキシ樹脂、シリコーン樹脂、ポリメタクリル酸メチル樹脂、ポリエチレンテレフタレート樹脂、ポリカーボネート樹脂などの透明度の高い樹脂である。白色樹脂とは、透明樹脂に光拡散剤と呼ばれる透明樹脂と屈折率の異なる微粒子、例えば、シリカ、炭酸カルシウム、硫酸バリウム、酸化チタン、中空粒子、樹脂ビーズなどからなる微粒子が分散されたものである。第１部材２０の材質、形状、寸法は、波長変換部品１００の設計に応じ、適宜選択されうる。
【００２３】
第１部材２０の複数の凹部それぞれに波長変換部材１０が収納されることにより、波長変換部材１０同士が第１部材２０を介して配列する。あるいは、波長変換部材１０の周囲を第１部材２０で覆い、それらを複数準備し、寄せ集めて配列し、第１部材２０同士を接合することにより、波長変換部材１０を配列することもできる。
【００２４】
第１部材２０として、例えば、透明ガラスである石英ガラス板の片面に、フォトリソグラフィーと反応性イオンエッチングを用いる微細加工技術により、複数の凹部を蜂の巣状（正三角格子状）に形成したものが用いられうる。例えば、各凹部の深さは５０μｍで、各凹部の平面視は六角形で、壁厚１μｍであり、さらに凹部の内部の壁間距離は６μｍである。つまり、複数の凹部の配列周期は７μｍである。凹部の内壁である第１部材は、波長変換部材の上端よりも上方へ延在してよい。各凹部に、例えば、β−サイアロンの柱状結晶粒（約５μｍ径×約３５μｍ長）が収納される。この場合、励起光７０は第１部材２０の下方から入射し、波長変換部材１０であるβ−サイアロンの柱状結晶粒の下部および側方から入射する。β−サイアロンの柱状結晶粒は、凝集粒子ではなく、単結晶の粒子であるため、内部に界面がなく光散乱が少なく、熱伝導も良好であるため好ましい。各凹部の上側開口部から下に１５μｍの領域は、透過型光学部材３１と、波長変換部材１０の上端よりも上方へ延在する第１部材（第２部材３２）とによって、ライトパイプ３０の一部を構成する。
【００２５】
上記では、各凹部の平面視は六角形としたが、三角形、四角形、楕円形、円形、などでもよい。各凹部の平面視が平面充填図形であることが、波長変換部材１０の密度を高められるので好ましい。
【００２６】
また、例えば、第１部材２０として、反射率の高い壁からなるハニカム構造（例えば、白色の熱硬化性樹脂からなるハニカム構造）を用いることもできる。この場合、励起光７０は第１部材２０の下方から波長変換部材１０へ入射し、波長変換部材１０の側方から出る光は第１部材２０により反射される。つまり、波長変換部品１００の出射光は、波長変換部材１０から上方へ出る光により構成される。よって、複数の波長変換部材１０が、２種類以上の波長変換部材を含む場合などにおいて、出射光の出射角度による色の変化が抑制される。また、一方の波長変換部材から出る光が、他方の波長変換部材により吸収や散乱されることが抑制される。
【００２７】
第１部材２０の製造に際しては、第１部材２０の材質、形状、寸法などに応じ、加工技術を適宜選択し、組み合わせて用いることができる。加工技術としては、例えば、フォトリソグラフィーと反応性イオンエッチング、圧縮成形、ナノインプリント、陽極酸化、ガラス管集合体を融着し延伸しスライスする技術などがある。
【００２８】
例えば、本実施形態の波長変換部品は、透過型光学部材３１と第２部材３２とからなるライトパイプ３０により、出射光の配光を狭めることができる。
【００２９】
透過型光学部材３１として、例えば、高屈折率シリコーン樹脂ロッド（屈折率１．５７）を用いることができる。第２部材３２として、例えば、石英ガラス壁（屈折率１．４６）を用いることができる。透過型光学部材３１である高屈折率シリコーン樹脂ロッドは、波長変換部材１０であるβ−サイアロンの柱状結晶粒それぞれの上に配置される。石英ガラス壁と高屈折率シリコーン樹脂とでライトパイプは構成される。β−サイアロンの柱状結晶粒から出る緑色光は、高屈折率シリコーン樹脂ロッドの内部を透過し、石英ガラス壁との界面で反射され、高屈折率シリコーン樹脂ロッドの上面から出射される。高屈折率シリコーン樹脂ロッドの屈折率と石英ガラス壁の屈折率とに応じてライトパイプの開口数が定まるため、透過型光学部材３１と第２部材３２からなるライトパイプ３０がない場合より、ライトパイプ３０から出射される光の配光を狭くすることができる。
【００３０】
また、例えば、図１Ｄに示されるように、波長変換部材１０それぞれの上に凸レンズ３１１を配置してもよい。また、例えば図１Ｅに示されるように、柱状透光性部材と凸レンズが一体化した透過型光学部材３１２と第２部材３２からなる透過型光学素子３０１を波長変換部材１０それぞれの上に配置してもよい。また、例えば図１Ｆに示されるように、波長変換部材１０それぞれの上にロッドレンズ３１２を配置してもよい。さらに、例えば、ライトパイプ３０の上にＳｉＯ２球レンズなどのレンズ３１３をさらに備える透過型光学素子３０２を波長変換部材１０それぞれの上に配置してもよい（図１Ｇ）。さらに、例えばマイクロレンズアレイ３１４と複数のライトパイプ３０を用いる透過型光学素子３０３を複数の波長変換部材１０の上に配置してもよい（図１Ｈ）。これらの変形例においても、透過型光学素子は、波長変換部材の配列に対応する透過型光学部材の配列を有する。
【００３１】
波長変換部材１０が励起光を吸収し励起光より波長の長い光を放出する場合、ストークスシフト分のエネルギーが熱として発生する。波長変換部材１０に熱がこもり波長変換部材１０の温度が上昇すると波長変換部材１０の波長変換効率が一般に低下する。この現象を抑制するために、波長変換部材１０を放熱部材４０の上に設けることが有効である。
【００３２】
また、本実施形態の波長変換部品は、第１部材を介して波長変換部材１０を配列させ、第２部材を介して透過型光学部材３１を配列させてもよい。図１Ａ及び図１Ｂに示すように、第１部材２０と第２部材３２とは同じ材料で形成されたものであってもよく、また、第１部材２０上に第２部材３２を第１部材２０と別の部材で形成してもよい。図１Ｂに示されるように、透過型光学部材３１の天面は、六角形状をしており、第２部材３２は上述した、第１部材２０と同様にハニカム構造となっている。例えば、第１部材２０として、熱伝導性の良い透明な基板（サファイア基板、ＡｌＮ基板、ＳｉＣ基板、ダイヤモンド基板、石英ガラス等）を用い、第２部材３２として白色樹脂を用いることができる。
【００３３】
また、例えば、図１Ｅに示されるように、第１部材２０と第２部材３２を同じ透明度の高い樹脂を用い形成する場合、第２部材３２および複数の波長変換部材１０の下方に熱伝導性の良い透明な基板（サファイア基板、ＡｌＮ基板、ＳｉＣ基板、ダイヤモンド基板、あるいはこれらの組合せ）を放熱部材４０として貼り合せることができる。
【００３４】
〔第２実施形態〕
第２実施形態における波長変換部品２００の構造を、図２Ａ、および図２Ｂを参照し、以下に説明する。
【００３５】
波長変換部品２００は、量子井戸層１６１を含む半導体多層膜１６を有する。半導体多層膜１６は、量子井戸層１６１の下側、上側、または両側に励起光吸収層１６２、組成傾斜層１６３、キャリア閉じ込め層１６４を含んでもよい。また、半導体多層膜の下側に全反射ミラー１６５を有することが好ましい。全反射ミラーは、Ａｇ等の金属層でもよく、誘電体多層膜でもよい。
量子井戸層１６１からの発光スペクトルは、半値幅が狭い。例えば、カラーフィルターを用いるプロジェクタの光源用途において、好適に波長変換部品２００を用いることができる。
【００３６】
第１部材２０１として、例えば、ＳｉＯ２膜を用いることができる。また、ＳｉＯ２膜と空気層との複合部材、若しくは、ＳｉＯ２膜と半田層との複合部材、などを第１部材２０１として、用いることができる。
【００３７】
透過型光学素子３０４として、例えば、図２Ａに示されるように、サファイアコア３３（屈折率１．７７）の周囲に透明シリコーン樹脂クラッド３４（屈折率１．５７）を配したライトパイプが用いられ得る。複数の波長変換部材として機能する半導体多層膜１６の上に配置されているライトパイプ３０４は、例えば、図２Ｂに示されるように、正方格子状に配列することができる。
【００３８】
放熱部材４０として、例えば、金メッキ銅ブロックを用いることができる。
【００３９】
第２実施形態における反射型波長変換部品２００は、例えば、以下のように形成されうる。サファイア基板を半導体多層膜１６の成長基板として、緑色発光する量子井戸層１６１を含む窒化物半導体多層膜１６をＭＯＣＶＤ法により結晶成長させる。その後、半導体多層膜１６上に全反射ミラー１６５を形成する。半導体多層膜１６及び全反射ミラー１６５を区画する溝を形成し、溝をＳｉＯ２膜で覆い第１部材２０１を形成する。全反射ミラー形成、溝形成、ＳｉＯ２膜形成は、通常の半導体ウェハープロセス（フォトリソグラフィー、スパッタ、ＣＶＤ、ドライエッチング、等）を用いることができる。上下反転して、全反射ミラー１６５側を金メッキ銅ブロックに接合する。サファイア基板を所定の厚さに研磨した後、サファイア基板を区画する溝を掘り、複数のサファイアコア３３を形成する。溝に透明シリコーン樹脂を注入して硬化しクラッド３４として、複数のライトパイプ３０４を含む透過型光学素子を形成する。透過型光学素子は、区画された半導体多層膜１６の配列に対応するライトパイプの配列を有する。
【００４０】
また、例えば、透過型光学素子を形成する要素のライトパイプ３０５として、図２Ｃに示されるように、複数のサファイアコア３３の周囲を断面が楔形状のクラッド３５で覆ったライトパイプを用いることができる。半導体多層膜１６及び全反射ミラー１６５を区画する溝内にサファイア基板への深溝形成を施して、クラッド３５をサファイア基板へ延在させる。透過型光学部材の配列を、波長変換部材の配列に自己整合させるためである。クラッド３５は、波長変換部材として機能する半導体多層膜１６とサファイア基板との界面より上方に延在している第１部材２０１の一部である。サファイアコア３３が上方に広がる形状（倒置された角錐台形状）となるから、反射型波長変換部品２００からの出射光の配光を狭めることができるので好ましい。サファイア基板への深溝形成には、例えば、レーザ誘起背面湿式加工（ＬＩＢＷＥ）のようなレーザ加工を用いることができる。
【００４１】
〔第３実施形態〕
第３実施形態における発光装置３００の構造を、図３を参照し、以下に説明する。
【００４２】
発光装置３００は、発光素子５０を含む。発光素子５０として、例えば、下面にｎ側パッド電極５３１およびｐ側パッド電極５３２を有し、上面にサファイア基板５１０を有し、ｎ型半導体層５２１、青色発光層５２２、およびｐ型半導体層５２３を含む半導体多層膜５２０をｐ側パッド電極５３２とサファイア基板５１０の間に有するフリップチップ型の青色発光ダイオードチップを用いることができる。
【００４３】
発光装置３００は、例えば第１実施形態における波長変換部品１００を含む。波長変換部品１００は、例えば、一つの発光素子５０の上面のサファイア基板の上に接合される。
【００４４】
発光装置３００は、その他の部材を含むことができる。その他の部材として、例えば、発光素子５０と波長変換部品１００の側面を覆う遮光性の側壁６０を有することができる。遮光性の側壁６０の材料として、例えば、白色樹脂、黒色樹脂などを用いることができる。
【００４５】
発光装置３００において、一つの発光素子５０からの励起光７０が波長変換部品１００に入射する。励起光７０は、複数の波長変換部材１０に分割されて入射し、その一部または全部が波長変換部材１０に吸収される。その後、各波長変換部材１０から波長変換された光が出射され、各波長変換部材１０の上のライトパイプ３０を透過して、波長変換部品１００から出射される。その出射される光がライトパイプ３０を透過する際に、配光が狭められる。
【００４６】
〔第４実施形態〕
第４実施形態における反射型発光装置４００の構造を、図４を参照し、以下に説明する。
【００４７】
反射型発光装置４００は、発光素子５５を含む。発光素子５５として、例えば、青色半導体レーザを用いることができる。
【００４８】
反射型発光装置４００は、例えば第２実施形態における波長変換部品２００を含む。波長変換部品２００に、例えば、青色半導体レーザからの励起光７０が、凸レンズ８０およびダイクロックプリズム９０を透過し、凸レンズ８５により集光されて入射する。凸レンズ８５のＮＡとライトパイプのＮＡを整合させることにより、波長変換された光は効率よく利用されることができる。
【００４９】
反射型発光装置４００は、その他の部材を含むことができる。その他の部材は、例えば、レンズ、プリズム、ミラー、ダイクロックミラー、波長板、筺体などである。
【００５０】
反射型発光装置４００において、一つの発光素子５５からの励起光７０が波長変換部品２００に入射する。励起光７０は、複数の波長変換部材１０に分割して入射され、その一部または全部が波長変換部材１０に吸収される。その後、各波長変換部材１０から波長変換された光が出射され、各波長変換部材１０の上のライトパイプを透過して、波長変換部品２００から出射される。その出射された光がライトパイプを透過する際に、配光が狭められる。
【産業上の利用可能性】
【００５１】
本発明の波長変換部品および発光装置は、ヘッドライトを含む車載用の各種光源、プロジェクタ装置の光源、液晶ディスプレイのバックライト光源、信号機、各種照明器具などの各種用途に利用することができる。
【符号の説明】
【００５２】
１００、２００         ：波長変換部品
１０                  ：波長変換部材
２０、２０１          ：第１部材
３０、３０４、３０５        ：ライトパイプ
３２                  ：第２部材
４０                   ：放熱部材
５０、５５              ：発光素子
７０                        ：励起光
３００                ：発光装置
４００                ：反射型発光装置
【図１Ａ】
2020122868.tif 000003
【図１Ｂ】
2020122868.tif 000004
【図１Ｃ】
2020122868.tif 000005
【図１Ｄ】
2020122868.tif 000006
【図１Ｅ】
2020122868.tif 000007
【図１Ｆ】
2020122868.tif 000008
【図１Ｇ】
2020122868.tif 000009
【図１Ｈ】
2020122868.tif 000010
【図２Ａ】
2020122868.tif 000011
【図２Ｂ】
2020122868.tif 000012
【図２Ｃ】
2020122868.tif 000013
【図３】
2020122868.tif 000014
【図４】
2020122868.tif 000015